(57)【特許請求の範囲】
【請求項１】
１枚毎に異なるＩＤ番号を付されたプリペイドカードの発行状況を記憶するとともにプリペイドカード発行機からＩＤ番号の登録依頼があったときその登録を承認するターミナルコントローラと、
発行すべきＩＤ番号を予め前記ターミナルコントローラから取得して記憶し、貨幣の投入後顧客により選択指定された金額のカードに前記ＩＤ番号を含む磁気データを記録してプリペイドカードを作成するとともに前記ターミナルコントローラに当該ＩＤ番号の登録依頼を要求し、承認が得られた場合には前記プリペイドカードを排出し、承認が得られなかった場合には前記プリペイドカードの磁気データを無効にして回収するプリペイドカード発行機と
を具備したことを特徴とする遊技場におけるプリペイドカード発行システム。
【請求項２】
前記ターミナルコントローラは、
登録依頼の要求があって承認できる場合には、承認ＯＫの電文の他にその登録依頼のあったプリペイドカード発行機から次に発行すべきＩＤ番号も返信するように構成されている
ことを特徴とする請求項１記載の遊技場におけるプリペイドカード発行システム。
【請求項３】
発行される前記プリペイドカードには、磁気データの記録の他に発行金額の印字を施されるように構成されており、承認が得られないときには発行金額の印字を無効とする印字を行なってから回収するように構成されている
ことを特徴とする請求項１または請求項２に記載の遊技場におけるプリペイドカード発行システム。
【請求項４】
前記ターミナルコントローラは、
店舗の外部に設けられた管理コンピュータに接続可能であり、
前記管理コンピュータは、
各店舗で発行された全てのプリペイドカードのデータを前記ターミナルコントローラから受けとり蓄積するように構成されており、プリペイドカード発行日から所定期間経過したカードのデータの確認を行うことができる
ことを特徴とする請求項１記載の遊技場におけるプリペイドカード発行システム。
【発明の詳細な説明】
【０００１】
【発明の属する技術分野】
本発明はパチンコ店等の遊技場におけるプリペイドカードの発行システムに関する。
【０００２】
【従来技術】
従来、例えばパチンコ店におけるカードシステムにおいては、予め顧客がプリペイドカードを購入し、そのカードを用いて顧客がパチンコ台の横に設置された玉貸機にカードを挿入し、玉貸ボタン（一般には、パチンコ台の方に設けられている）を１回押すと、予め設定された金額分、例えば３００円分（店によって異なる。また、顧客が自由に設定するようなタイプの玉貸機もある。）の玉がパチンコ台の上皿に出てくる。カードの残額がなくなるまで玉貸ボタンにより玉を借りることができ、途中でやめたいときには、カード返却ボタン（これもパチンコ台に設けられている）を押すと、残額が記録されてカードが返却されるようになっている。このようなプリペイドカードの金額は、１万円、５０００円、３０００円、１０００円等のものが一般的である。
【０００３】
【発明が解決しようとする課題】
しかしながら、このカードシステムは、プリペイドカードをどの店に持っていっても使えるようにして顧客の便を図った反面、カードの偽造が横行し、大きな社会的問題となっている。
【０００４】
また、これを防ぐカードシステムも提案されている。例えば特開昭６１−１４３０８５号公報がある。このシステムではカード１枚毎にＩＤ番号をとり、偽造防止を図っている。しかし、このシステムでは、新規にカードを発行する際、店のコンピュータにＩＤ番号の登録要求を行ない、その結果を店のコンピュータからカード発行機が受信した後に、カードにそのＩＤ番号等を含むデータの印字及び磁気データの記録を行なうようにしているので、発行までに時間がかかるという問題点があった。
【０００５】
本発明は前記実情に鑑みなされたもので、短時間でかつセキュリティに優れたプリペイドカードを発行することのできるプリペイドカード発行システムを提供することを目的とする。
【０００６】
【課題を解決するための手段】
そこで本発明では、印字・磁気記録と並行してコンピュータ（ターミナルコントローラ）へ問い合わせを行ない、ＯＫなら即、カードを排出し、ＮＧならカードに対して無効処理を行なってから回収するようにしている。
【０００７】
さらにまた、本発明では、次回発行用のＩＤ番号をターミナルコントローラから返信してもらい、カード発行機側で記憶するようにしたことを特徴とする。
そしてターミナルコントローラでは、１枚毎に異なるＩＤ番号を付されたプリペイドカードの発行状況を記憶するとともにプリペイドカード発行機からＩＤ番号の登録依頼があったときその登録を承認するか否かの判断を行う。
【０００８】
すなわち、本発明は、１枚毎に異なるＩＤ番号を付されたプリペイドカードの発行状況を記憶するとともにプリペイドカード発行機からＩＤ番号の登録依頼があったときその登録を承認するターミナルコントローラと、発行すべきＩＤ番号を予め前記ターミナルコントローラから取得して記憶し、貨幣の投入後顧客により選択指定された金額のカードに前記ＩＤ番号を含む磁気データを記録してプリペイドカードを作成するとともに前記ターミナルコントローラに当該ＩＤ番号の登録依頼を要求し、承認が得られた場合には前記プリペイドカードを排出し、承認が得られなかった場合には前記プリペイドカードの磁気データを無効にして回収するプリペイドカード発行機とを具備したことを特徴とする遊技場におけるプリペイドカード発行システムにある。
【０００９】
望ましくは、前記ターミナルコントローラは、登録依頼の要求があって承認できる場合には、承認ＯＫの電文の他にその登録依頼のあったプリペイドカード発行機から次に発行すべきＩＤ番号も返信するように構成されている。
【００１０】
また望ましくは、発行される前記プリペイドカードには、磁気データの記録の他に発行金額の印字を施されるように構成されており、承認が得られないときには発行金額の印字を無効とする印字を行なってから回収するように構成されていることを特徴とする。
【００１１】
また望ましくは、前記ターミナルコントローラは、店舗の外部に設けられた管理コンピュータに接続可能であり、前記管理コンピュータは、各店舗で発行された全てのプリペイドカードのデータを前記ターミナルコントローラから受けとり蓄積するように構成されており、プリペイドカード発行日から所定期間経過したカードのデータの確認を行うことができることを特徴とする。
【００１２】
【発明の実施の形態】
図１０に一例を示すようなプリペイドカードは発行日から所定期間（例えば８日間、ここでは、この所定期間のことを、有効期限と表示している。）は、その発行店でしか使用できないが、それを過ぎると一定期限内（例えば発行日から１ヶ月以内）であれば、カードに残額がある場合は、その残額分を更新してカードを発行できるように構成されている。その際、他の店で発行したカードであっても更新を可能としている。そのしくみは、各店が毎日、１日の営業終了時点でその店で発行されたプリペイドカードの全てについて、ＩＤ番号と残額とを管理コンピュータにデータ送信し、管理コンピュータでは、各店の全データをチェックし蓄積していく。すなわち、発行すべきＩＤ番号が予め記憶され、貨幣の投入後顧客により選択指定された金額のカードに磁気データを記録する。この磁気データには、所定期間と一定期限も設定される。そして同時に管理コンピュータにＩＤ番号の登録依頼を要求し、承認が得られた場合にはプリペイドカードを排出し、承認が得られなかった場合には、既に印字及び磁気記録されていたプリペイドカードに、印字が無効であることを意味するマークを上書き印字するとともに磁気データにはすべて、０を書込み、このプリペイドカードを回収する。
【００１３】
データがＯＫのときには、既に印字及び磁気記録されていたプリペイドカードを即、排出する。
【００１４】
また、発行日から例えば８日間経過して有効期限が過ぎると、ターミナルコントローラは、そのデータを削除する。そしてこの後のデータ管理は、センターの管理コンピュータによってのみなされる。従って、有効期限が過ぎたカードの更新登録がなされる場合には、ターミナルコントローラは、センターの管理コンピュータにデータ要求を行い、そのデータに基づいて、更新登録するかどうかの判断処理等を行う。
【００１５】
【実施例】
以下、本発明の一実施例を図面を参照しつつ詳細に説明する。図１および図２は本発明の遊技媒体供給システムの概略を示す概略図およびシステムブロック図である。この装置では、センター１を中心にしてこのセンターの管理コンピュータ２に公衆回線網３を介して接続された各遊技店にターミナルコントローラ１０が設けられ、これらには複数の島が接続され、各島は島コントローラ４０によって制御される複数の遊技ユニット５０と、プリぺイドカードの発行、販売を行うカード発行機２０とで構成されている。通常、各島毎に１台程度のカード発行機が設けられ、発行すべきＩＤ番号が予め記憶され、貨幣の投入後顧客により選択指定された金額分のデータ及びＩＤ番号等がカードに磁気記録されプリペイドカードとして発行される。この磁気データには、発行日も含まれ、発行されるプリペイドカードには、ＩＤ番号、有効期限、発行金額などのデータが、印字される。また、各遊技店毎に１台程度のカード更新機３０が設けられ、最初のカード発行日から８日間の有効期限がきれてかつカード発行日から１ヶ月以内の場合に、この更新機３０にカードを挿入すると、カードのＩＤ番号及びカードのデータが管理コンピュータで照合され、ＯＫのときには残額分を当初度数とする新しいカードが発行される（第１２図参照）。このとき新しい８日間の有効期限が記録される。尚、発行日から８日間以内は、そのカードの発行店でのみ通用し、それ以降はこのシステムを導入している他店でも更新機にカードを入れることにより、その店で遊技することができる。更新は繰り返して行なえる。また、この遊技ユニット５０は通貨と等価な有価データの記録されたプリぺイドカードから有価データの読み書きを行うとともに遊技者による遊技台への遊技媒体の貸し出し要求に基づき、有価データの範囲内で、前記遊技媒体を貸し出すように構成されたカードユニット（ＣＲユニット）７０と、遊技台６０とで構成され、各構成要素はＬＡＮ（ローカルエリアネットワーク）で接続され、互いにデータ交換を行うことができるようになっている。
【００１６】
そしてターミナルコントローラ１０は、システム全体の制御を行う制御部とメモリとディスプレイなどの表示部と、キーボード、プリンタなどの入出力部とから構成されている。そしてこのターミナルコントローラは、センター１の管理コンピュータ２と公衆回線網３で接続されており、この管理コンピュータ２を用いてターミナルコントローラ１０内のデータを管理できるようになっている。
【００１７】
このプリぺイドカード発行機２０は、このシステムを導入している店舗のみ（但し、発行店以外では、前述したような条件を満たす場合のみ使用可能）使用することのできる「ハウスカード」を販売する。尚、本実施例では、カード発行時にカード１枚毎に固有のＩＤ番号を付与しカードのデータはターミナルコントローラで一括管理している。
【００１８】
そして図３に外観の正面図を示すように、筐体の表面パネルの上部にＬＥＤなどの発光体を内蔵した複数のカード選択ボタン２１が一列に設けられている。そしてカード選択ボタン列の下部右側には、紙幣挿入口２２、左側には硬貨投入口２３が、そして中央には取り消しボタン２４が配列されている。またその下中央には硬貨出口２５が設けられ、その右側にカード出口２７が設けられている。また硬貨出口２５の左側はサービスとして投出される遊技媒体の取り出し口（プレミアム取り出し口）２６である。
【００１９】
そして図４はその扉を開いた状態を示す図であり、扉側上から内部操作部３１、表示部４５、外部操作部３２、硬貨処理部３３、制御部３４が配設され、さらに本体側上から循環式紙幣識別放出部３５、プレミアム取り出し口２６に玉を投出する玉投出部３７、印刷部３６、発行ユニット２０ｄ、電源３８、サブコントローラ３９、外部出力部４４が配設されている。
【００２０】
さらにこのプリぺードカード発行機２０は図５に制御系の機能ブロック図を示すように、演算処理を行うＣＰＵ２０ａと、制御プログラムや制御データを記憶するＲＯＭ２０ｂと、ＲＡＭ２０ｃと、カードに購入された金額、発行日などを記録し、プリペイドカードとしてカード出口に排出するという実際の発行操作を行う発行ユニット２０ｄと、島コントローラ４０とのデータ通信を行う通信インターフェース２０ｅと、投入貨幣の真偽識別を行なうとともに必要に応じて釣銭を投出する貨幣処理部２０ｆとを具備している。
【００２１】
図６は発行ユニットの一例を示す断面図であり、磁気ロール紙をローラからなる搬送部Ｃを介してカッタで所望の大きさにカットし、磁気ヘッドで磁気データの書き込みを行い、プリンタＢの印字部で、印字を行う。一方回収する場合にはリジェクトスタッカＤへ回収する。ここで２７は発行されたカードの出口である。
【００２２】
次に、本発明実施例のシステムの動作について説明する。
図７は本発明にかかるプリペイドカード発行機の操作を示すフローチャートである。
プリペイドカード発行機ではまず、電源をＯＮにしスタートすると（ステップ１０１）、貨幣が紙幣投入口２２または硬貨投入口２３から紙幣または硬貨が投入されたか否かの判断を行う（ステップ１０２）。実際には複数枚、複数個の貨幣を投入することができ、購入することのできる金額のボタンのみ点灯する。そこで顧客が購入しようとする金額のカード選択ボタン２１を押すと、投入金額から購入することのできる範囲であるか否かの判断を行い（ステップ１０３）、購入することのできる範囲であると判断された場合には、発行ユニットの磁気ヘッドＡを用いて磁気ロール紙からカットされたカードに磁気データの書き込みを行うと共にプリンタＢの印字部で印字を行い、これら処理と並行してターミナルコントローラＴ／Ｃ１０に登録要求を行う（ステップ１０４）。図８に示すように、カード発行機は島コントローラ４０を介して、ターミナルコントローラＴ／Ｃ１０に登録要求を行う。ここでは島コントローラ４０からのポーリング（ＰＯＬ）に対し、カード発行機は自局宛ポーリングの時に登録要求データＨＳ０２を送信する。島コントローラ４０がこれを正常受信するとＡＣＫを返信し、これに対しカード発行機はＥＯＴを送信して正常終結し、島コントローラ４０はＥＯＴを受信するとターミナルコントローラＴ／Ｃ１０へ登録要求データを送信する。尚、カード登録中のカード発行機に対してポーリングのなげかけをしない。
【００２３】
この登録要求に対し、ターミナルコントローラＴ／Ｃ１０はカードデータ登録結果を報告すると共に、次回発行すべき連番を送信する。ここでは登録結果を島コントローラが受け取るとセレクティング（ＳＥＬ）をカード発行機に投げかけカード発行機の応答ＡＣＫがあると登録結果ＳＨ０２を送り、カード発行機がＡＣＫを送ると島コントローラからＥＯＴを送信して終了する。
【００２４】
そしてカード発行機のＣＰＵはこの応答結果に応じて、ターミナルコントローラＴ／Ｃ１０への登録がＯＫであるか否かの判断を行い（ステップ１０５）、ＯＫであるときは、発行すべきカードに既におこなったカード印字および磁気ライトが正常に終了しているか否かの判断を行い（ステップ１０６）、正常終了しているときはターミナルコントローラＴ／Ｃ１０から受け取った次回発行のＩＤ番号をＲＡＭ２０ｃに記憶する（ステップ１０７）。そして図１０に示すように磁気記録および印字のなされたプリペイドカードがカード出口２７から排出される（ステップ１０８）。
【００２５】
そしてプレミアムが必要であるか否かの判断を行い（ステップ１０９）、プレミアムが必要である場合はプレミアム取り出し口２６にプレミアムを投出する。
【００２６】
一方必要でないと判断されればそのままエンドとなる。
【００２７】
さらにつり銭が必要であるか否かの判断を行い（ステップ１１１）、必要である場合はつり銭を投出する（ステップ１１２）。
【００２８】
一方、ステップ１０５で、ＩＤ番号が重複している、店コードが異なるなどターミナルコントローラＴ／Ｃ１０から拒否応答の場合、あるいは受信データとのベリファイがとれないなど受信データが異常である場合、あるいは無応答の場合、あるいはカード発行機の通信部分のハードが故障である場合等、登録失敗であると判断された場合、図１１に示すようにプリペイドカードの印字領域に××を印字し、磁気データにオール０をオーバライトし、無効処理をおこなったのち、回収を行う（ステップ１１３）。これら処理は、発行ユニット２０ｄのカード搬送制御部Ｃによりカードの搬送方向を制御しながらプリンタＢと磁気ヘッドＡとにより行ないリジェクトスタッカＤへカードを回収する。
【００２９】
そして、ターミナルコントローラＴ／Ｃ１０に削除要求を行う（ステップ１１４）。また、ステップ１０６で磁気ロールのジャム等により、カードが正常に作成されていないと判断された場合も、ターミナルコントローラＴ／Ｃ１０に削除要求を行う（ステップ１１４）。この動作は、図９に示すように、カード発行機が島コントローラ４０を介して、ターミナルコントローラＴ／Ｃ１０に削除要求を行うことによってなされる。ここでも登録要求の場合と同様に、島コントローラ４０からのポーリング（ＰＯＬ）に対し、カード発行機は自局宛ポーリングの時に削除要求データＨＳ０５を送信する。島コントローラ４０がこれを正常受信するとＡＣＫを返信し、これに対しカード発行機はＥＯＴを送信して正常終結し、島コントローラ４０はＥＯＴを受信するとターミナルコントローラＴ／Ｃ１０へデータ削除要求を送信する。尚、カード削除中のカード発行機に対してポーリングのなげかけをしない。
【００３０】
この削除要求に対し、ターミナルコントローラＴ／Ｃ１０はカードデータ削除結果を報告する。ここでは削除結果を島コントローラが受け取るとセレクティングをカード発行機に投げかけ、カード発行機の応答ＡＣＫがあると削除結果ＳＨ０５を送り、カード発行機がＡＣＫを送ると島コントローラからＥＯＴを送信して終了する。
【００３１】
そしてエラー発生後、リセットキーが押されるのを待ち（ステップ１１５）、リセットキーが押されたと判断した場合無効処理・回収が完了しているか否かの判断を行い（ステップ１１６）、完了していなければ再度無効処理および回収を行う（ステップ１１７）。一方、ターミナルコントローラＴ／Ｃ１０に対する削除が完了しているか否かの判断を行ない（ステップ１２０）、完了していなければ再度削除要求を行なう（ステップ１２１）。無効処理および回収が完了し、削除が完了し、いずれの処理に対してもエラーがなかったか否かの判断を行い（ステップ１１８）、エラーがなければ投入紙幣を返金し（ステップ１１９）、エンドとなる。
【００３２】
尚、１日の営業終了時、各遊技店からその店で扱ったすべてのカードに関するデータが公衆回線によりセンターの管理コンピュータに蓄積される。カードの発行日から８日間経過して有効期限が過ぎると、ターミナルコントローラＴ／Ｃ１０は、そのデータを削除する。そしてこの後のデータ管理は、センター１の管理コンピュータ２によってのみなされる。従って、有効期限が過ぎたカードの更新登録がなされる場合には、ターミナルコントローラ１０は、センター１の管理コンピュータ２にデータ要求を行い、そのデータに基づいて、更新登録するかどうかの判断処理等を行う。
【００３３】
また、カードの磁気データが何らかの原因により装置で読めなくなった場合には、このカード発行機を用いてカードを再発行することができる。つまり、顧客が係員に申し出ると、係員はカード発行機の扉を開け、外部操作部３２を操作してカードに印字されたＩＤ番号を入力することによりターミナルコントローラＴ／Ｃ１０でそのＩＤをチェックし、ＯＫならばそのＩＤのカードの残額分を再発行できる。この際、実際に存在しない番号あるいは現在遊技中の番号等、不正な番号が入力された場合、３回続けてＮＧとなるとカード発行機はエラーダウンし、係員による不正発行を防止する。また、再発行した場合にはターミナルコントローラＴ／Ｃ１０では再発行したことを記録し元のカードは使用不能とする。
【００３４】
なお、前記実施例では、カードはロール紙のものをカットし、その都度印字・磁気記録して一時保留しているが、予めカットしたカードに印字・磁気記録してもよい。また、予め金額のみを印刷したカードを金額毎に収納しておき、そのカードに磁気データのみを記録するようにしてもよい。また、予め金額が印字されるとともに磁気的に金額が記録されたプリペイドカードに対してＩＤ番号等を記録して発行するようにしてもよい。
【００３５】
【発明の効果】
以上説明したように、本発明のカード発行機では、カードの印字及び記録を行なうと同時に管理コンピュータにデータの確認を問い合わせるようにしているため、発行に要する時間を短縮することが可能となり、短時間でかつセキュリティに優れたカード発行を実行することができる。
【図面の簡単な説明】
【図１】本発明実施例で用いられる処理システムを示す図
【図２】同システムの機能ブロック図
【図３】カード発行機の外観を示す正面図
【図４】カード発行機の扉をあけた状態を示す正面図
【図５】カード発行機の制御系の機能ブロック図
【図６】発行ユニットを示す図
【図７】本発明実施例のシステムの動作を示すフローチャート図
【図８】本発明実施例のシステムで用いられる登録要求のシーケンスを示す図
【図９】本発明実施例のシステムで用いられる削除要求のシーケンスを示す図
【図１０】本発明実施例の装置で形成したプリペイドカードを示す図
【図１１】本発明実施例の装置で無効処理を行ったプリペイドカードを示す図
【図１２】本発明実施例の装置で発行した更新カードを示す図
【符号の説明】
１０
ターミナルコントローラ
２０  カード発行機
３０  カード更新機
４０  島コントローラ
５０  遊技ユニット
６０  遊技台
Ａ  磁気ヘッド
Ｂ  プリンタ
Ｃ  カード搬送制御部
Ｄ  リジェクトスタッカー
２０ａ  ＣＰＵ
２０ｂ  ＲＯＭ
２０ｃ  ＲＡＭ
２０ｄ  発行ユニット
２０ｅ  通信インターフェース
【図１】
0003669791.tif 000002
【図２】
0003669791.tif 000003
【図３】
0003669791.tif 000004
【図４】
0003669791.tif 000005
【図５】
0003669791.tif 000006
【図６】
0003669791.tif 000007
【図７】
0003669791.tif 000008
【図８】
0003669791.tif 000009
【図９】
0003669791.tif 000010
【図１０】
0003669791.tif 000011
【図１１】
0003669791.tif 000012
【図１２】
0003669791.tif 000013